(57)【要約】【課題】小型であっても、本来の打撃感、響きを損なわないようにしつつ、音量を小さくして発音させることができる打楽器を提供すること。【解決手段】本発明の実施形態に係る打楽器は、第１打楽器、第２打楽器およびこれらを着脱可能に支持する支持部３０を有し、支持部３０が第１打楽器と第２打楽器とを打撃時に第１膜１１と第２膜２１とが接触せず、かつ第１筒部１２０の内側の空間に第２筒部２２０の少なくとも一部が位置するように支持すると、分離独立している状態で第１打楽器の演奏と同じように打撃しても、打撃感、響きの損なわないようにして音量を低下させることができる。【選択図】図３
2010197803.tif 000002
【特許請求の範囲】
【請求項１】
打撃により振動する第１の膜および第２の膜と、
両端が開口した筒状であり、一端に前記第１の膜が張設された筒部と、
前記第２の膜が張設された胴部と、
前記筒部と前記胴部とを支持することにより、前記第１の膜と前記第２の膜との位置関係が、前記第１の膜または前記第２の膜への打撃によって振動しても互いに接触せず、かつ前記筒部の長さよりも短い距離となる関係にする支持部と
を具備し、
前記支持部が前記筒部と前記胴部とを支持した状態において、前記第１の膜と前記第２の膜とに挟まれる空間は、前記筒部の外側の空間と通じている
ことを特徴とする打楽器。
【請求項２】
前記胴部は前記筒部の径より小さい径の筒状の部材を有し、
前記支持部材は、前記筒部の内側の空間に前記胴部の筒状の部材の少なくとも一部が位置するように前記筒部と前記胴部とを支持し、
前記支持部が前記筒部と前記胴部とを支持した状態において、前記第１の膜と前記第２の膜とに挟まれる空間は、前記筒部と前記胴部の筒状の部材とに挟まれる空間を介して前記筒部の外側の空間と通じている
ことを特徴とする請求項１に記載の打楽器。
【請求項３】
前記第１の膜または前記第２の膜のいずれかに一方の膜は開口部を有し、
前記支持部が前記筒部と前記胴部とを支持した状態において、前記第１の膜と前記第２の膜とに挟まれる空間は、前記開口部を介して前記筒部の外側の空間と通じている
ことを特徴とする請求項１または請求項２に記載の打楽器。
【発明の詳細な説明】
【技術分野】
【０００１】
本発明は、打楽器の音量を制御する技術に関する。
【背景技術】
【０００２】
打楽器の演奏は音が大きくなりやすく、練習などは防音室の中で行うなど、周囲への配慮が必要である。そこで、電子ドラムなどの電子打楽器を用いることにより音量の制御を電気的に行って音量を小さくすることができるが、これは実際の打楽器とは打撃感や音の感じが異なるものとなってしまう。そこで、少しでも感触を生の打楽器に近づけるため、打面となる皮の膜の裏側をスポンジなどで覆うなどして、膜の振動を止めて音量を小さくする方法が開示されている（例えば、特許文献１）。
【先行技術文献】
【特許文献】
【０００３】
【特許文献１】特開２００１−１４２４５９号公報
【発明の概要】
【発明が解決しようとする課題】
【０００４】
しかしながら、振動を止めてしまうと、皮の響きを止めてしまうことにつながり、打撃感や音が変化し、やはり通常の演奏時の感触が得られないものであった。
【０００５】
本発明は、上述の事情に鑑みてなされたものであり、本来の打撃感、響きを損なわないようにしつつ、音量を小さくして発音させることができる打楽器を提供することを目的とする。
【課題を解決するための手段】
【０００６】
上述の課題を解決するため、本発明は、打撃により振動する第１の膜および第２の膜と、両端が開口した筒状であり、一端に前記第１の膜が張設された筒部と、前記第２の膜が張設された胴部と、前記筒部と前記胴部とを支持することにより、前記第１の膜と前記第２の膜との位置関係が、前記第１の膜または前記第２の膜への打撃によって振動しても互いに接触せず、かつ前記筒部の長さよりも短い距離となる関係にする支持部とを具備し、前記支持部が前記筒部と前記胴部とを支持した状態において、前記第１の膜と前記第２の膜とに挟まれる空間は、前記筒部の外側の空間と通じていることを特徴とする打楽器を提供する。
【０００７】
また、別の好ましい態様において、前記胴部は前記筒部の径より小さい径の筒状の部材を有し、前記支持部材は、前記筒部の内側の空間に前記胴部の筒状の部材の少なくとも一部が位置するように前記筒部と前記胴部とを支持し、前記支持部が前記筒部と前記胴部とを支持した状態において、前記第１の膜と前記第２の膜とに挟まれる空間は、前記筒部と前記胴部の筒状の部材とに挟まれる空間を介して前記筒部の外側の空間と通じていることを特徴とする。
【０００８】
また、別の好ましい態様において、前記第１の膜または前記第２の膜のいずれかに一方の膜は開口部を有し、前記支持部が前記筒部と前記胴部とを支持した状態において、前記第１の膜と前記第２の膜とに挟まれる空間は、前記開口部を介して前記筒部の外側の空間と通じていることを特徴とする。
【発明の効果】
【０００９】
本発明によれば、小型であっても、本来の感触を残したまま、音量を小さくして発音させることができる打楽器を提供することができる。
【図面の簡単な説明】
【００１０】
【図１】本発明の実施形態に係る打楽器の構成を説明する図である。
【図２】本発明の実施形態に係る第１胴部と第２胴部とが支持された状態における水平断面を説明する図である。
【図３】本発明の実施形態に係る第１胴部と第２胴部とが支持された状態における垂直断面を説明する図である。
【図４】本発明の実施形態に係る打楽器の音量の制御を説明する図である。
【図５】変形例１に係る打楽器を説明する図である。
【図６】変形例２に係る打楽器を説明する図である。
【図７】変形例２に係る別の態様の打楽器を説明する図である。
【図８】変形例３に係る打楽器を説明する図である。
【図９】変形例４に係る打楽器を説明する図である。
【図１０】変形例５に係る打楽器を説明する図である。
【図１１】変形例６に係る打楽器を説明する図である。
【図１２】変形例７に係る打楽器を説明する図である。
【図１３】変形例９に係る第２の態様の打楽器を説明する図である。
【発明を実施するための形態】
【００１１】
以下、本発明の一実施形態について説明する。
【００１２】
＜実施形態＞
図１は、本発明の実施形態に係る打楽器１の構成を説明する図である。打楽器１は、第１打楽器１０、第２打楽器２０を有する。第１打楽器１０、第２打楽器２０ともにボンゴなどの膜鳴楽器であり、後述するように第１打楽器１０と第２打楽器２０とは着脱可能な構成となっている。
【００１３】
第１打楽器１０は、打撃により振動する皮などの膜状の部材である第１膜１１と、第１胴部１２を有する。第１胴部１２は、両端が開口した筒状の第１筒部１２０と、第１リム１２１を有する。第１リム１２１は、第１筒部１２０との間に第１膜１１の周囲部分を挟むことによって、第１筒部１２０の一端の開口周囲に第１膜１１を固定してテンションをかけて張るためのベルト状の部材である。以下、テンションをかけて張って固定することを「張設する」という。
【００１４】
第２打楽器２０は、第１打楽器１０と同様、打撃により振動する皮などの膜状の部材である第２膜２１と、第２胴部２２を有する。第２胴部２２は、両端が開口した筒状であって、第１筒部１２０の内径より小さい径の外径を有する第２筒部２２０と、第２リム２２１を有する。第２リム２２１は、第２筒部２２０との間に第２膜２１の周囲部分を挟むことによって、第２筒部２２０の一端の開口周囲に第２膜２１を固定してテンションをかけて張るためのベルト状の部材である。
【００１５】
また、第２打楽器２０は、第１打楽器１０と第２打楽器２０とを着脱可能に支持する支持部３０を有する。支持部３０は、第２筒部２２０に設けられ、図１（ａ）に示すように第１打楽器１０と第２打楽器２０とが分離している状態から、図１（ｂ）に示すように第２打楽器２０を第１筒部１２０の内側の空間に挿入した状態で、第１打楽器１０と第２打楽器２０との位置関係を固定する。次に、支持部３０の構成について、図２を用いて説明する。
【００１６】
図２は、第１胴部１２と第２胴部２２とが支持部３０によって支持された状態における水平断面（第１膜１１、第２膜２１と平行な面）を説明する図である。この水平断面の位置は、支持部３０が存在する位置であり、図１（ｂ）の切断線ａ−ａ’で切った断面に対応する。支持部３０は、第１筒部１２０と第２筒部２２０とを着脱可能に支持し、図２に示すように、第１筒部１２０と第２筒部２２０との中心から１２０度ごとに３箇所、また別の水平位置に３箇所、合計６箇所設けられている。
【００１７】
支持部３０は、移動部３１と固定部３２とを有している。固定部３２は、第２筒部２２０の外側に固定されるナット形状の外側固定部３２１と内側に固定されるナット形状の内側固定部３２２とを有する。移動部３１は、接触部３１１、ねじ部３１２および回転部３１３を有している。回転部３１３とねじ部３１２によりボルト形状を構成し、ねじ部３１２は、第２筒部２２０を貫通して、外側固定部３２１および内側固定部３２２と噛み合うようになっている。したがって、回転部３１３を回転させると、ねじ部３１２は、第２筒部２２０の内側方向または外側方向に移動可能になっている。
【００１８】
接触部３１１は、ねじ部３１２の移動に合わせて移動し、第１筒部１２０と接触する側は、フェルトなどのクッション材が設けられている。全ての支持部３０のねじ部３１２が外側方向に移動すると、全ての接触部３１１が第１筒部１２０の内面に接触して、第１筒部１２０と第２筒部２２０との相対位置を固定して支持することになる。一方、ねじ部３１２が内側方向に移動すると、第１筒部１２０と接触部３１１が分離し、第１筒部１２０と第２筒部２２０とは、支持部３０における支持から開放され、第１打楽器１０と第２打楽器２０とは、互いに自由に移動可能となる。次に、第１筒部１２０と第２筒部２２０とが支持される位置について、図３を用いて説明する。
【００１９】
図３は、第１胴部１２と第２胴部２２とが支持部３０によって支持された状態における垂直断面を説明する図である。ここで、この垂直断面は、図２における切断線ｂ−ｂ’で切った面を示している。
【００２０】
図３に示すように、支持部３０は、第１筒部１２０の内側の空間に、第２筒部２２０の一部が位置するように、それぞれを固定している。そして、第１膜１１と第２膜２１との膜間距離Ｌを変化させると、第１膜１１を打撃したときに発音される音量が変化するようになる。この実験結果について以下説明する。
【００２１】
まず、この実験において用いた打楽器１の各寸法を説明する。第１筒部１２０の外径ｄａ１は１７５ｍｍ、内径ｄｂ１は１６０ｍｍであり、筒の長さｄｃ１は１６８ｍｍである。また、第２筒部２２０の外径ｄａ２は１５０ｍｍ、内径ｄｂ２は１３８ｍｍであり、筒の長さｄｃ２は１６７ｍｍである。そして、膜間距離Ｌを変化させて支持して、第１膜１１を打撃したときの発音における音量の変化を測定した結果について、図４を用いて説明する。
【００２２】
図４は、打楽器１の音量の制御を説明する図である。図４の縦軸は、音量を規格化音量として表したものであり、第２打楽器２０を分離して第１打楽器１０のみの構成として、第１膜１１を打撃したときの発音における音量を「１００％」としたものである。横軸は、膜間距離Ｌを示している。すなわち、「０ｍｍ」とは第１膜１１と第２膜２１とが接触している状態であり、「１６８ｍｍ」とは、第１筒部１２０の開口している一端の開口面と第２膜２１の膜面とが一致している状態である。
【００２３】
まず、膜間距離Ｌを１８０ｍｍ程度から小さくし１６８ｍｍで規格化音量は８７％となる。膜間距離Ｌをさらに１２５ｍｍまで小さくすると、規格化音量は６０％となる。この膜間距離Ｌの範囲に対応する領域Ａにおいては、概ね０．６３％／ｍｍで規格化音量が変化している。そして、さらに膜間距離Ｌを小さくし２０ｍｍとすると、規格化音量は４０％となる。この膜間距離Ｌの範囲に対応する領域Ｂにおいては、概ね０．１９％／ｍｍで規格化音量が変化している。
【００２４】
そして、さらに膜間距離Ｌを小さくし５ｍｍとすると、規格化音量は３０％となる。この膜間距離Ｌの範囲に対応する領域Ｃにおいては、概ね０．６７％／ｍｍで規格化音量が変化している。このとき、膜間距離Ｌが５ｍｍ以上においては、規格化音量が小さくなるのは、第１膜１１の振動が停止することによるものではなく、第２膜２１にエネルギが伝達されることによるものである。したがって、音量が小さくなったとしても、打撃感が残るとともに、第１膜１１の皮の響きが残ることになる。
【００２５】
これは、第１膜１１と第２膜２１とに挟まれた空間が空気バネとして機能し、第１膜１１の振動のエネルギが第２膜２１に伝達されるとともに、オリフィスとして機能する第１筒部１２０と第２筒部２２０とに挟まれる空間を介して、第１膜１１と第２膜２１とに挟まれた空間が第１胴部１２の外側の空間に通じていることによる。すなわち、オリフィスを通過する空気の抵抗により、この振動のエネルギを急激に減少させることができる。このように、第１筒部１２０の筒の長さよりも膜間距離Ｌを小さくすることにより、第１膜１１の振動をさせたまま、すなわち響きを残して音量を小さくする静音化を図ることができ、さらに振動が強制的に停止されないため打撃感も静音化する前から大きく変化させないようにすることができる。
【００２６】
ここで、この例の場合の空気バネのバネ定数Ｋａは、一般に膜の面積に比例し、膜間距離Ｌに反比例するため、膜間距離Ｌを小さくするとバネ定数が上昇し第１膜１１の振動のエネルギが第２膜２１へ伝達されやすくなる。また、空気の剛性が高まりオリフィスを通過する空気の抵抗も高まり、より効率的に音量を減衰させる効果を生じることになる。そのため、領域Ｃにおいては、規格化音量の変化率が大きくなっている。
【００２７】
そして、領域Ｃを超えて膜間距離Ｌをさらに小さくすると、急激に規格化音量が減少していく。この膜間距離Ｌの範囲に対応する領域Ｄにおいては、概ね２％／ｍｍで規格化音量が変化している。ここでは、急激に音量が小さくなるが、これは、打撃時に第１膜１１、第２膜２１が接触し振動が停止するためである。したがって、この領域Ｄにおいては、打撃感、皮の響きが急速に失われるため、この領域で用いることは望ましくない。このように、支持部３０は、打撃時に第１膜１１と第２膜２１とが接触せず、かつ第１筒部１２０の内側の空間に第２筒部２２０の少なくとも一部が位置するように、第１筒部１２０と第２筒部２２０とを支持することが望ましい。
【００２８】
このように、本発明の実施形態に係る打楽器１は、第１打楽器１０、第２打楽器２０およびこれらを着脱可能に支持する支持部３０を有し、支持部３０が第１打楽器１０と第２打楽器２０とを打撃時に第１膜１１と第２膜２１とが接触せず、かつ第１筒部１２０の内側の空間に第２筒部２２０の少なくとも一部が位置するように支持すると、分離独立している状態で第１打楽器１０の演奏と同じように打撃しても、打撃感、響きを損なわないようにして音量を低下させることができる。
【００２９】
以上、本発明の実施形態について説明したが、本発明は以下のように、さまざまな形態で実施可能である。
【００３０】
＜変形例１＞
上述した実施形態において、オリフィスとして機能させる部分は、第１筒部１２０と第２筒部２２０とに挟まれた空間であったが、別の部分にオリフィスの機能を持たせてもよい。この場合の打楽器１Ａの構成の一例について図５を用いて説明する。
【００３１】
図５は、変形例１に係る打楽器１Ａを説明する図である。打楽器１Ａは、第１打楽器１０、第２打楽器２０Ａおよびこれらを支持する支持部３０Ａを有する。上記実施形態と同じ符号を付した構成は、上記実施形態における構成と同様であるから、説明を省略する。図５（ａ）に示すように、第２打楽器２０Ａは、実施形態における第２打楽器２０とは、第２膜２１Ａの構成が異なり、第２膜２１Ａは、開口部２１０を有し、これがオリフィスの機能を有している。これにより、第１膜１１と第２膜２１Ａとに挟まれた空間は、オリフィスの機能を有する開口部２１０を介して、第１筒部１２０の外側の空間に通じている構成となる。
【００３２】
また、図５（ｂ）に示すように、第１筒部１２０の内径と第２筒部２２０の外径とは、ほぼ同一であり、第１筒部１２０と第２筒部２２０とに挟まれた空間は形成されず、オリフィスとして機能していない。なお、完全に空間が形成されないということはなく、それぞれ相対的に移動可能な程度の隙間は存在する。また、第１リム１２１、第２リム２２１の外径については第１筒部１２０、第２筒部２２０の外径と同じものとして図示しているが、第２リム２２１の存在により、第２リム２２１が第１筒部１２０の内面と接触し、第２筒部２２０が第１筒部１２０の内面と接触しない場合があってもよい。以下の変形例においても、これらの事項は共通である。
【００３３】
支持部３０Ａは、実施形態における支持部３０のように複数箇所（例えば、３箇所）設けられ、それぞれ移動部３１Ａと固定部３２Ａとを有している。移動部３１Ａは、接触部３１１Ａ、ねじ部３１２Ａおよび回転部３１３Ａを有し、実施形態における接触部３１１、ねじ部３１２および回転部３１３と同様な機能を有している。固定部３２は、第１胴部１２の外面下部に固定され、ねじ部３１２Ａが貫通する部分はねじ部３１２Ａに対応した溝があり、ねじ部３１２Ａと噛み合うようになっている。この支持部３０Ａにより、第１打楽器１０と第２打楽器２０Ａとが着脱可能に支持されている。
【００３４】
このような構成においても、オリフィスの機能を発揮する部分が実施形態と異なるだけであり、実施形態と同様な効果を奏することになる。なお、本変形例の構成において、さらに実施形態のように第１筒部１２０と第２筒部２２０とに挟まれた空間が形成されるようにしてこの空間にもオリフィスの機能を持たせるようにしてもよい。この点についても以下の変形例において適用可能である。
【００３５】
＜変形例２＞
上述した実施形態、変形例１において、第２筒部２２０の筒の長さを短くしてもよい。変形例１の構成において第２筒部２２０の筒の長さを短くした打楽器１Ｂについて図６を用いて説明する。
【００３６】
図６は、変形例２に係る打楽器１Ｂを説明する図である。打楽器１Ｂは、第１打楽器１０、第２打楽器２０Ｂおよびこれらを支持する支持部３０Ｂを有する。上記実施形態、変形例と同じ符号を付した構成は、上記実施形態、変形例における構成と同様であるから、説明を省略する。図６（ａ）に示すように、第２打楽器２０Ｂは、変形例１における第２打楽器２０Ａとは、第２胴部２２における第２筒部２２０の構成が異なり、筒の長さが短い第２筒部２２０Ｂをもつ第２胴部２２Ｂを有する。
【００３７】
図６（ｂ）に示すように支持部３０Ｂは、第２筒部２２０Ｂを支持する形状の部材であり、第１筒部１２０に設けられた差込部３３Ｂに差し込んで固定可能になっている。複数箇所（例えば、３箇所）の第２筒部２２０Ｂの下端部から支持することにより、第１筒部１２０と第２筒部２２０Ｂとの相対位置が固定されるように支持する。ここで、差込部３３Ｂは、膜間距離Ｌが変えられるように第２筒部２２０Ｂの筒の長さ方向に対しても複数の場所に設けられ、所望の音量に応じて差し込み位置を変えることができるようになっている。
【００３８】
なお、支持部３０Ｂは第１筒部１２０に固定して設けられてもよい。この場合、固定されている支持部３０Ｂによって、第２打楽器２０Ｂを支持部３０Ｂより第１膜１１側に移動させることができなくなるが、第２筒部２２０Ｂが弾性を持つようにすれば、第２筒部２２０Ｂを変形させて挿入することにより、支持部３０Ｂと第１膜１１の間に第２打楽器２０Ｂを位置させることができるから、支持部３０Ｂに第２筒部２２０Ｂを支持させることが可能である。
【００３９】
このような構成においても、実施形態と同様な効果を奏することになる。また、変形例１の構成に限らず実施形態の構成において第２筒部２２０の筒の長さを短くしても同様な効果を得られる。
【００４０】
図７は、本変形例のように筒の長さが短い第２胴部２２Ｂとした場合の別の態様の打楽器の構成を説明する図である。図７（ａ）に示すように、第２打楽器２０Ｂを上記とは反対向きに支持する場合について示したものである。この場合には、第２打楽器２０Ｂの支持は、支持部３０Ｂとは形状が異なり、第２膜２１Ａに接触する支持部３０Ｃによって行われればよい。なお、差込部３３Ｃは、上記差込部３３Ｂに相当するものである。
【００４１】
ここで、第２胴部２２Ｂの筒の長さをより短くし、第１膜１１と第２膜２１とが振動時に接触しない範囲の長さ（例えば、５ｍｍ）に相当するようにすれば、図７（ａ）に示す第１打楽器１０と第２打楽器２０Ｃとの関係において、第１膜１１と第２筒部２２０Ｂとが接する位置関係で支持部３０Ｃに支持させれば、膜間距離Ｌを第２筒部２２０Ｂの筒の長さで規定でき、音量を最小にするなどの制御を容易に行うこともできる。
【００４２】
また、図７（ｂ）に示すように、第２膜２１Ａは、必ずしも第２筒部２２０Ｂの端部に張設されていなくてもよく、筒の途中の部分に張設された第２胴部２２Ｄとして、第２打楽器２０Ｄを構成してもよい。この場合は、上記同様に、第２胴部２２Ｄを支持する形状とした支持部３０Ｄを設ければよい。なお、差込部３３Ｄは、上記差込部３３Ｂに相当するものである。
【００４３】
ここで、図７（ｂ）に示すように、第２胴部２２Ｄの筒方向の中心からずれたところに第２膜２１Ａが位置するようにすると、第２胴部２２Ｄのいずれか一方の端部を第１膜１１に接する位置関係で支持部３０Ｄに支持させることにより、膜間距離Ｌを２段階に規定でき、２段階の音量の制御を容易に行うこともできる。
【００４４】
このように、第２打楽器の第２胴部は、少なくとも第２膜を張設する機能、例えば、第２リムの機能だけでもよく、第２筒部の筒の長さが非常に短い、または第２筒部を有していないような構成であってもよい。すなわち、第１膜と第２膜とに挟まれる空間がオリフィスの機能を有する開口を介して、第１筒部１２０の外側の空間に通じているような構成を実現できればよい。
【００４５】
＜変形例３＞
上述した実施形態においては、第２打楽器２０は、第１胴部１２の内側の空間に挿入されていたが、第１膜１１を覆うような図８に示す第２打楽器２０Ｅとしてもよい。
【００４６】
図８は、変形例３に係る打楽器１Ｅを説明する図である。打楽器１Ｅは、第１打楽器１０、第２打楽器２０Ｅおよびこれらを支持する支持部３０Ｅを有する。上記実施形態、変形例と同じ符号を付した構成は、上記実施形態、変形例における構成と同様であるから、説明を省略する。図８（ａ）に示すように、第２打楽器２０Ｅは、変形例２における第２打楽器２０Ｂに近い構成であり、第２筒部２２０Ｂより径が大きく、第１筒部１２０の外径と概ね等しい内径の第２筒部２２０Ｅをもつ第２胴部２２Ｅを有する。第２膜２１Ｅ、開口部２１０Ｅ、第２リム２２１Ｅは、それぞれ、上記変形例の第２膜２１Ａ、開口部２１０、第２リム２２１と同様な機能を有する。
【００４７】
図８（ｂ）に示すように支持部３０Ｅは、ストッパとなる部材であり、複数箇所（例えば、３箇所）に設けられ、第１打楽器１０の第１膜１１に第２打楽器２０Ｅで覆うように設置したときに、第２筒部２２０Ｅとともに、第１打楽器１０と第２打楽器２０Ｅとを支持し、膜間距離Ｌを固定する。そして、第１膜１１と第２膜２１Ｅとに挟まれた空間は、オリフィスの機能を有する開口部２１０Ｅを介して、外部空間と通じている。このようにしても、第２膜２１Ｅを打撃することによる発音が、第２打楽器２０Ｅを用いずに第１膜１１を打撃することによる発音よりも小さい音量となり、実施形態と同様な効果を得ることができる。
【００４８】
＜変形例４＞
上述した変形例３において、第２膜２１Ｅの開口部２１０Ｅを有さない第２膜２１Ｆを有した第２打楽器２０Ｆとしてもよい。この場合には、第２打楽器２０Ｆは、図９に示すような構成とすればよい。
【００４９】
図９は、変形例４に係る打楽器１Ｆを説明する図である。上記実施形態、変形例と同じ符号を付した構成は、実施形態、上記変形例における構成と同様であるから、説明を省略する。
【００５０】
第２胴部２２Ｆの第２筒部２２０Ｆ、第２リム２２１Ｆは、変形例３における第２筒部２２０Ｅ、第２リム２２０Ｅの径より大きい径となっている。第２筒部２２０Ｆには、支持部３０Ａ、３０Ｅが取り付けられ、これらにより、第１打楽器１０と第２打楽器２０Ｆとを支持し、膜間距離Ｌを固定する。これにより、第２筒部２２０Ｆと第１打楽器１０とに挟まれた空間ができ、開口部２１０Ｅの代わりにオリフィスの機能を有する。そして、この空間を介して、第１膜１１と第２膜２１Ｆとに挟まれた空間は、外部空間と通じることになる。このようにしても、第２膜２１Ｆを打撃することによる発音が、第２打楽器２０Ｆを用いずに第１膜１１を打撃することによる発音よりも小さい音量となり、実施形態と同様な効果を得ることができる。
【００５１】
＜変形例５＞
上述した変形例３において、第２膜２１Ｅの開口部２１０Ｅを有さない第２膜２１Ｆを有した第２打楽器２０Ｇとしてもよい。この場合には、第２打楽器２０Ｇは、図１０に示すような構成とすればよい。
【００５２】
図１０は、変形例５に係る打楽器１Ｇを説明する図である。上記実施形態、変形例と同じ符号を付した構成は、上記実施形態、変形例における構成と同様であるから、説明を省略する。
【００５３】
第２筒部２２０Ｇ、第２リム２２１Ｇは、変形例３における第２筒部２２０Ｅ、第２リム２２１Ｅにオリフィスの機能を有する開口部２２２Ｇが設けられたものである。これにより、第１膜１１と第２膜２１Ｆとに挟まれた空間は、開口部２２２Ｇを介して外部空間と通じることになる。このようにしても、第２膜２１Ｆを打撃することによる発音が、第２打楽器２０Ｇを用いずに第１膜１１を打撃することによる発音よりも小さい音量となり、実施形態と同様な効果を得ることができる。
【００５４】
＜変形例６＞
上述した変形例５における開口部２２２Ｇを有する構成を、変形例１の打楽器１Ａにおける構成に適用し、図１１に示すような打楽器１Ｈとしてもよい。
【００５５】
図１１は、変形例６に係る打楽器１Ｈを説明する図である。上記実施形態、変形例と同じ符号を付した構成は、上記実施形態、変形例における構成と同様であるから、説明を省略する。
【００５６】
第１筒部１２０Ｈは、上記実施形態における第１筒部１２０にオリフィスの機能を有する開口部１２２Ｈが設けられたものである。開口部１２２Ｈは、第１筒部１２０のうち、第１膜１１の近傍に設けられ、膜間距離Ｌが小さくなっても第２胴部２２（第２筒部２２０または第２リム２２１）に塞がれないようになっている。すなわち、開口部１２２Ｈを第２胴部２２により塞ごうとすると、第１膜１１と第２膜２１とが振動により接触する膜間距離Ｌとなるような位置に、開口部１２２Ｈが設けられている。これにより、第１膜１１と第２膜２１とに挟まれた空間は、開口部１２２Ｈを介して外部空間と通じることになる。このようにしても、実施形態と同様な効果を得ることができる。
【００５７】
＜変形例７＞
上述した実施形態において、第１膜１１と第２膜２１とが振動により接触しないようにするためのストッパ４０を設けてもよい。
【００５８】
図１２は、変形例７に係る打楽器１Ｊを説明する図である。上記実施形態、変形例と同じ符号を付した構成は、上記実施形態、変形例における構成と同様であるから、説明を省略する。ストッパ４０は、第１筒部１２０の内面の複数箇所（例えば、水平面内３箇所）に設けられ、膜間距離Ｌが予め設定された距離より小さくならないようにして、第１膜１１と第２膜２１とが振動により接触する距離の関係で支持されることを防ぐものである。このようにすることにより、膜間距離Ｌをストッパ４０の位置で規定でき、音量を最小にするなどの制御を容易に行うこともできる。
【００５９】
＜変形例８＞
上述した変形例においては、オリフィスの機能を有する開口部２１０などは、１つのものとして図示してきたが、必ずしも１つでなくてもよく、複数であってもよい。複数設ける場合には、オリフィスの機能が失われないように、１つ当たりの開口部２１０の大きさを小さくすることが望ましい。
【００６０】
＜変形例９＞
上述した実施形態においては、支持部３０は、第２打楽器２０に固定されていたが、第１打楽器１０に固定されているものとしてもよい。また、支持部３０の一部が第１打楽器１０に、残りが第２打楽器２０に固定されているものとしてもよい。また、支持部３０は、移動部３１、固定部３２により構成されているものを例示し、上記各変形例においても、支持部３０Ａ、３０Ｂ、３０Ｃ、３０Ｄ、３０Ｅと様々な構成を例示してきたが、このような構成は例示であるから、どのような構成により支持するものであってもよい。また、以下に示すような態様の構成であってもよい。
【００６１】
第１の態様としては、変形例１などで示したように、第１筒部１２０と第２筒部２２０とが接触するような構成の場合、第１筒部１２０の内面と第２筒部２２０の外面とが、例えば雌ネジ、雄ネジとなるような構成とし、第２筒部２２０を第１筒部１２０に対して回転させることで、膜間距離Ｌを制御できるようにしてもよい。
【００６２】
第２の態様としては、第１打楽器１０および第２打楽器２０を互いに支持するような上記実施形態、変形例における態様ではなく、図１３に示すように、支持部３０が地上に自立して第１打楽器１０、第２打楽器２０を支持するようなもの、例えばドラムスタンドなどのような支持部３０Ｋであってもよい。
【００６３】
図１３は、変形例９に係る第２の態様の打楽器１Ｋを説明する図である。第１打楽器１０Ｋ、第２打楽器２０Ｋは、実施形態における第１打楽器１０、第２打楽器２０と同様な構成であり、支持部３０Ｋに支持されるための構成を有するものである。支持部３０Ｋは、第１打楽器１０Ｋを支持して固定するための第１固定部３５０Ｋおよび第２打楽器２０Ｋを支持して固定するための第２固定部３６０Ｋ、および第１固定部３５０Ｋと第２固定部３６０Ｋとを支える柱状の支持本体部３４０Ｋを有する。
【００６４】
図１３（ａ）に示すように、第１固定部３５０Ｋは、第１打楽器１０Ｋの第１筒部１２０Ｋ外面側と着脱可能に接続する。第２固定部３６０Ｋは、第２打楽器２０Ｋの第２筒部２２０Ｋ内面側と着脱可能に接続する。そして、第２固定部３６０Ｋは、図１３（ｂ）に示すように、支持本体部３４０Ｋに対して移動可能に構成され、矢印ＡＲ１に示すように、上下方向、および支持本体部３４０Ｋを中心に回転させる方向に移動させることができる。この構成は、公知のスライド機構などにより実現すればよい。
【００６５】
これにより、打楽器１Ｋは、図１３（ａ）に示すように、第１打楽器１０Ｋの第１膜１１Ｋおよび第２打楽器２０Ｋの第２膜２１Ｋのそれぞれを打撃可能な位置に固定して支持する場合と、図１３（ｂ）に示すように、第２打楽器２０Ｋを第１筒部１２０Ｋの内側の空間に挿入した状態で、第１打楽器１０Ｋと第２打楽器２０Ｋとの位置関係を固定して支持する場合とに切り替えることができる構成にすることによって、音量を小さくして演奏する場合としない場合とを切り替えることができるようにすることができる。
【００６６】
＜変形例１０＞
上述した実施形態においては、第１筒部１２０、第２筒部２２０の形状は、円柱形状であるものとして図示しているが、本発明における筒状とは、筒の開口断面が円形に限られず、楕円形、三角形、四角形などの形状であってもよい。また、筒の長さ方向の断面については、四角形に限られず、台形であってもよく、さらには、曲線により構成された形状であってもよい。すなわち、筒状とは、両端が開口している中空の構造であればどのような構造であってもよい。
【００６７】
＜変形例１１＞
上述した実施形態においては、第１打楽器１０と第２打楽器２０とを支持部３０によって支持している状態では、第１膜１１と第２膜２１とは対向して平行になっていたが、平行になっていなくてもよく、第１膜１１と第２膜２１とに挟まれた空間が、オリフィスの機能を有する空間または開口部を介して、外部空間と通じていればよい。
【符号の説明】
【００６８】
１，１Ａ，１Ｂ，１Ｃ，１Ｄ，１Ｅ，１Ｆ，１Ｇ，１Ｈ，１Ｊ，１Ｋ…打楽器、１０，１０Ｈ，１０Ｋ…第１打楽器、１１，１１Ｋ…第１膜、１２…第１胴部、１２０，１２０Ｈ，１２０Ｋ…第１筒部、１２１…第１リム、２０，２０Ａ，２０Ｂ，２０Ｃ，２０Ｄ，２０Ｅ，２０Ｆ，２０Ｇ，２０Ｋ…第２打楽器、２１，２１Ａ，２１Ｅ，２１Ｆ，２１Ｋ…第２膜、２１０，２１０Ｅ，２２２Ｇ，１２２Ｈ…開口部、２２，２２Ｂ，２２Ｄ，２２Ｅ，…第２胴部、２２０，２２０Ｂ，２２０Ｅ，２２０Ｆ，２２０Ｇ，２２０Ｋ…第２筒部、２２１，２２１Ｅ，２２１Ｆ，２２１Ｇ…第２リム、３０，３０Ａ，３０Ｂ，３０Ｃ，３０Ｄ，３０Ｅ，３０Ｋ…支持部、３１，３１Ａ…移動部、３１１，３１１Ａ…接触部、３１２，３１２Ａ…ネジ部、３１３，３１３Ａ…回転部、３２，３２Ａ…固定部、３２１…内側固定部、３２２…外側固定部、３４０Ｋ…支持本体部、３５０Ｋ…第１固定部、３６０Ｋ…第２固定部、４０…ストッパ
【図１】
2010197803.tif 000003
【図２】
2010197803.tif 000004
【図３】
2010197803.tif 000005
【図４】
2010197803.tif 000006
【図５】
2010197803.tif 000007
【図６】
2010197803.tif 000008
【図７】
2010197803.tif 000009
【図８】
2010197803.tif 000010
【図９】
2010197803.tif 000011
【図１０】
2010197803.tif 000012
【図１１】
2010197803.tif 000013
【図１２】
2010197803.tif 000014
【図１３】
2010197803.tif 000015